(57)【要約】【課題】指示メータに指示された抵抗値の読み取り間違いを防止し得る絶縁抵抗計を提供する。【解決手段】指示用電流Ｉｉ１，Ｉｉ２の電流値が大きいほど大きな回動量で指針を回動させて抵抗値を指示する指示メータ２と、高抵抗の測定対象体２００の抵抗値に応じた指示用電流Ｉｉ１を出力することによって指示メータ２にその抵抗値を指示させる高抵抗測定部３と、低抵抗の測定対象体２００の抵抗値に応じた指示用電流Ｉｉ２を出力することによって指示メータ２にその抵抗値を指示させる低抵抗測定部４とを備え、高抵抗測定部３および低抵抗測定部４は、測定対象体２００の抵抗値が小さいほど大きな電流値の指示用電流Ｉｉ１，Ｉｉ２を出力する。【選択図】図１
2010002191.tif 000002
【特許請求の範囲】
【請求項１】
指示用電流の電流値が大きいほど大きな回動量で指針を回動させて抵抗値を指示する指示メータと、高抵抗の測定対象体の抵抗値に応じた前記指示用電流を出力することによって前記指示メータに当該抵抗値を指示させる高抵抗測定部と、低抵抗の測定対象体の抵抗値に応じた前記指示用電流を出力することによって前記指示メータに当該抵抗値を指示させる低抵抗測定部とを備えた絶縁抵抗計であって、
前記高抵抗測定部および前記低抵抗測定部は、前記測定対象体の前記抵抗値が小さいほど大きな電流値の前記指示用電流を出力する絶縁抵抗計。
【請求項２】
前記高抵抗測定部は、測定用電圧を生成する測定用電圧生成部と、前記測定対象体に対する前記測定用電圧の印加に伴って当該測定対象体に流れる電流が大きいほど大きな電流値の前記指示用電流を出力する第１指示用電流出力部とを備えて構成され、
前記低抵抗測定部は、測定用電流を生成する測定用電流生成部と、前記測定対象体に対する前記測定用定電流の供給に伴って当該測定対象体に生じる電圧が小さいほど大きな電流値の前記指示用電流を出力する第２指示用電流出力部とを備えて構成されている請求項１記載の絶縁抵抗計。
【発明の詳細な説明】
【技術分野】
【０００１】
本発明は、測定対象体の抵抗値を指示する指示メータを備えた絶縁抵抗計に関するものである。
【背景技術】
【０００２】
測定対象体の絶縁の良否を検査する際に用いられる測定器として、特開平９−１１９９５２号公報に開示された絶縁抵抗計が知られている。この絶縁抵抗計は、試験電圧出力回路、電流検出回路、対数増幅器および表示回路を備えて構成されている。この絶縁抵抗計では、試験電圧出力回路が、測定対象体（試験回路）に印加する電圧を出力し、電流検出回路が、その電圧の印加に伴って測定対象体に流れる電流を検出する。また、対数増幅器が、上記電圧と上記電流とを入力して対数目盛に対応する絶縁抵抗値（絶縁抵抗値の大きさに応じた指示用電流）を出力し、表示回路が、対数増幅器から出力された指示用電流に応じた絶縁抵抗値を表示する。この場合、電圧の印加に伴って測定対象体に流れる電流、つまり対数増幅器から出力される指示用電流は、絶縁抵抗値が大きいほど小さく、絶縁抵抗値が小さいほど大きいこととなる。また、表示回路として用いられる指示メータは、初期状態においては、図８に示すように、大きい（無限大の）抵抗値を示す部位（同図では右側の部位）に指針が位置し、絶縁抵抗が小さいほど（指示用電流が大きいほど）大きく回動するように（同図では左側に回動するように）構成されている。
【０００３】
一方、低抵抗の測定対象体の抵抗値測定（以下、「低抵抗測定」ともいう）をこの種の絶縁抵抗計を用いて行うことができると便利であるとの需用者の要望に応えるべく、低抵抗測定の機能を有した絶縁抵抗計が開発されている。この場合、低抵抗測定の機能を備えた絶縁抵抗計では、絶縁抵抗を測定する上記の各回路に加えて、測定用定電流を生成する定電流回路等を備えて構成されている。この場合、例えば、測定対象体と指示メータとを並列接続して測定用定電流を供給したときには、測定対象体の抵抗値が大きいほど、測定用定電流の分流分（指示用電流）が大きくなる。このため、この絶縁抵抗計では、低抵抗測定時においては、図９に示すように、抵抗値が大きいほど（指示用電流が大きいほど）指示メータの指針が大きく回動する（同図では左側に回動する）。
【特許文献１】特開平９−１１９９５２号公報（第２−３頁、第１図）
【発明の開示】
【発明が解決しようとする課題】
【０００４】
ところが、低抵抗測定の機能を有している上記の絶縁抵抗計（以下、「低抵抗測定機能付き絶縁抵抗計」ともいう）には、改善すべき以下の課題がある。すなわち、上記の低抵抗測定機能付き絶縁抵抗計では、絶縁抵抗の測定時においては、抵抗値が小さいほど指示メータの指針が大きく回動し、低抵抗の測定時においては、抵抗値が大きいほど指示メータの指針が大きく回動する（上記の例ではいずれも左側に回動する）。このため、この低抵抗測定機能付き絶縁抵抗計では、指示メータのパネルに描かれている絶縁抵抗用の各スケール（図８，９における上側の２つのスケール）の目盛には右側から左側に向かって数値が降順で付され、低抵抗用のスケール（両図における下側の１つのスケール）の目盛には右側から左側に向かって数値が昇順で付されている。つまり、この低抵抗測定機能付き絶縁抵抗計では、測定レンジ（測定項目）によってスケールの目盛に付された数値の昇降順が異なっている。したがって、この低抵抗測定機能付き絶縁抵抗計には、例えば、図９に示すように、低抵抗の測定時において指針が「２Ω」を付した目盛よりもやや左側に位置しているときに、低抵抗が実際には２Ωよりも大きい値（この例では、２．１Ω）であるにも拘わらず、スケールの目盛に付された数値が絶縁抵抗用の各スケールと同様に降順に付されているものとの誤認を使用者に生じさせることに起因して、使用者が、指針によって指示された抵抗値を２Ωよりも小さい値（例えば、１．９Ω）に誤って読み取るおそれがあり、この点の改善が望まれている。
【０００５】
本発明は、かかる問題点に鑑みてなされたものであり、指示メータに指示された抵抗値の読み取り間違いを防止し得る絶縁抵抗計を提供することを主目的とする。
【課題を解決するための手段】
【０００６】
上記目的を達成すべく請求項１記載の絶縁抵抗計は、指示用電流の電流値が大きいほど大きな回動量で指針を回動させて抵抗値を指示する指示メータと、高抵抗の測定対象体の抵抗値に応じた前記指示用電流を出力することによって前記指示メータに当該抵抗値を指示させる高抵抗測定部と、低抵抗の測定対象体の抵抗値に応じた前記指示用電流を出力することによって前記指示メータに当該抵抗値を指示させる低抵抗測定部とを備えた絶縁抵抗計であって、前記高抵抗測定部および前記低抵抗測定部は、前記測定対象体の前記抵抗値が小さいほど大きな電流値の前記指示用電流を出力する。
【０００７】
また、請求項２記載の絶縁抵抗計は、請求項１記載の絶縁抵抗計において、前記高抵抗測定部は、測定用電圧を生成する測定用電圧生成部と、前記測定対象体に対する前記測定用電圧の印加に伴って当該測定対象体に流れる電流が大きいほど大きな電流値の前記指示用電流を出力する第１指示用電流出力部とを備えて構成され、前記低抵抗測定部は、測定用電流を生成する測定用電流生成部と、前記測定対象体に対する前記測定用定電流の供給に伴って当該測定対象体に生じる電圧が小さいほど大きな電流値の前記指示用電流を出力する第２指示用電流出力部とを備えて構成されている。
【発明の効果】
【０００８】
請求項１記載の絶縁抵抗計によれば、高抵抗測定部および低抵抗測定部のいずれもが、測定対象体の抵抗値が小さいほど大きな電流値の指示用電流を出力して指示メータの指針を大きな回動量で回動させることにより、高抵抗の測定対象体および低抵抗の測定対象体のいずれの測定対象体の抵抗値を測定する際においても、抵抗値が大きいときには指示メータの指針を左右いずれか一方側に位置させ、抵抗値が小さいときには指針を左右いずれか他方側に回動させることができる。したがって、この絶縁抵抗計によれば、測定レンジ（測定項目）に拘わらず、指示メータに描かれたスケールの目盛に同じ昇降順で数値を付すことができる結果、スケールの目盛に付された数値の昇降順が測定レンジによって異なることに起因する抵抗値の読み取り間違いを確実に防止することができる。
【０００９】
また、請求項２記載の絶縁抵抗計によれば、測定用電圧の印加に伴って測定対象体に流れる電流が大きいほど大きな電流値の指示用電流を出力する第１指示用電流出力部を備えて高抵抗測定部を構成し、測定用電流の供給に伴って測定対象体に生じる電圧が小さいほど大きな電流値の指示用電流を出力する第２指示用電流出力部を備えて低抵抗測定部を構成したことにより、高抵抗測定部が高抵抗の測定に適した測定用電圧を用いての指示用電流の出力を行い、低抵抗測定部が低抵抗の測定に適した測定用電流を用いての指示用電流の出力を行うため、高抵抗の測定対象体および低抵抗の測定対象体のいずれの測定対象体の抵抗値を測定する場合においても、その測定を正確に行うことができる。
【発明を実施するための最良の形態】
【００１０】
以下、本発明に係る絶縁抵抗計の最良の形態について、添付図面を参照して説明する。
【００１１】
最初に、絶縁抵抗計１の構成について、図面を参照して説明する。図１に示す絶縁抵抗計１は、本発明に係る絶縁抵抗計の一例であって、測定対象体２００の抵抗値Ｒの測定が可能に構成されている。具体的には、絶縁抵抗計１は、指示メータ２、高抵抗測定部３、低抵抗測定部４およびスイッチ５ａ，５ｂ，５ｃを備えて構成されている。
【００１２】
指示メータ２は、高抵抗測定部３から出力される指示用電流Ｉｉ１および低抵抗測定部４から出力される指示用電流Ｉｉ２（以下、区別しないときには、「指示用電流Ｉｉ」ともいう）の各電流値に応じた回動量で指針２ａを回動させて抵抗値Ｒを指示する（図６参照）。この場合、指示メータ２は、指示用電流Ｉｉの電流値が大きいほど（後述するように、抵抗値Ｒが小さいほど）大きな回動量で指針を回動可能に構成されている。また、指示メータ２のパネルには、図６，７に示すように、複数種類の測定レンジ（測定項目）にそれぞれ対応する複数のスケールが描かれ（両図では、２種類の高抵抗レンジと１種類の低抵抗レンジが描かれ）、各スケールの目盛には、両図における右側から左側に向かって抵抗値Ｒを示す数値が降順で付されている。
【００１３】
高抵抗測定部３は、本発明における高抵抗測定部の一例であって、高抵抗（一例として、１０ｋΩ以上）の測定対象体２００の抵抗値Ｒを測定する際に、その抵抗値Ｒに応じた指示用電流Ｉｉ１を出力することにより、指示メータ２に抵抗値Ｒを指示させる。具体的には、高抵抗測定部３は、図１に示すように、測定用電圧生成部１１および第１指示用電流出力部１２を備えて構成されている。測定用電圧生成部１１は、電池１００の電池電圧を昇圧して測定用の高電圧（以下、「測定用電圧Ｖｍ」ともいう）を生成する。この場合、測定用電圧生成部１１によって生成された測定用電圧Ｖｍは、スイッチ５ｃおよびプローブ６（同図参照）を介して測定対象体２００に印加される。
【００１４】
第１指示用電流出力部１２は、測定用電圧Ｖｍの印加に伴って測定対象体２００に流れる電流Ｉｄを入力して検出すると共に、検出した電流Ｉｄが大きいほど大きな電流値の指示用電流Ｉｉ１を出力し、電流Ｉｄが小さいほど小さな電流値の指示用電流Ｉｉ１を出力する。この場合、測定対象体２００の抵抗値Ｒが小さいほど電流Ｉｄが大きくなり、抵抗値Ｒが大きいほど電流Ｉｄが小さくなる。したがって、第１指示用電流出力部１２は、抵抗値Ｒが小さいほど大きな電流値の指示用電流Ｉｉ１を出力し、抵抗値Ｒが大きいほど小さな電流値の指示用電流Ｉｉ１を出力する。なお、第１指示用電流出力部１２は、指示メータ２のプラス端子（＋端子）からマイナス端子（−端子）に向かう向き（つまり、第１指示用電流出力部１２に流入する向き）の指示用電流Ｉｉ１を出力する。
【００１５】
低抵抗測定部４は、本発明における低抵抗測定部の一例であって、低抵抗（一例として、３０Ω以下）の測定対象体２００の抵抗値Ｒを測定する際に、その抵抗値Ｒに応じた指示用電流Ｉｉを出力することにより、指示メータ２に抵抗値Ｒを指示させる。具体的には、低抵抗測定部４は、図１に示すように、測定用電流生成部１３および第２指示用電流出力部１４を備えて構成されている。測定用電流生成部１３は、電池１００を電源として用いて測定用の定電流（以下、「測定用電流Ｉｍ」ともいう）を生成する。この場合、測定用電流生成部１３によって生成された測定用電流Ｉｍは、スイッチ５ａおよびプローブ６を介して測定対象体２００に供給される。
【００１６】
第２指示用電流出力部１４は、図２に示すように、反転加算回路２１および反転回路２２を備えて構成されている。反転加算回路２１は、同図に示すように、オペアンプ３１および抵抗４１〜４３を備えて構成されて、測定対象体２００に対する測定用電流Ｉｍの供給に伴い、測定対象体２００に生じる電圧Ｖ１に所定の電圧を加算する（以下、加算された電圧を「加算電圧」ともいう）と共に反転増幅する。反転回路２２は、同図に示すように、オペアンプ３２および抵抗４４〜４６を備えて構成されて、反転加算回路２１から出力される電圧Ｖ２を反転（または反転増幅）する。
【００１７】
ここで、測定用電流Ｉｍの供給に伴って測定対象体２００に生じる電圧Ｖ１の電圧値は、図３に示すように、測定対象体２００の抵抗値Ｒが小さいほど小さく（例えば、抵抗値Ｒが０Ωのときに最小値０Ｖとなる）、抵抗値Ｒが大きいほど大きくなる。また、反転加算回路２１から出力される電圧Ｖ２の電圧値は、図４に示すように、抵抗値Ｒが小さいほど（電圧Ｖ１が小さいほど）大きく（例えば、測定対象体２００の抵抗値Ｒが０のときに上記した加算電圧と同じ電圧となる）、抵抗値Ｒが大きいほど小さくなる。さらに、反転回路２２から出力される電圧Ｖ３の電圧値は、図５に示すように、負電圧であって、抵抗値Ｒが小さいほど（電圧Ｖ２が大きいほど）その絶対値が大きく（抵抗値Ｒが０のときに、その絶対値が上記した加算電圧と同じ電圧（または加算電圧を所定の利得で増幅した電圧値）となる）、抵抗値Ｒが大きいほどその絶対値が小さくなる。この場合、第２指示用電流出力部１４（反転回路２２）は、指示メータ２のプラス端子（＋端子）からマイナス端子（−端子）に向かう向き（つまり、第２指示用電流出力部１４に流入する向き）の指示用電流Ｉｉ２を、電圧Ｖ３の電圧値の絶対値に比例する電流値で出力する。つまり、第２指示用電流出力部１４は、測定用電流Ｉｍの供給に伴って測定対象体２００に生じる電圧Ｖ１が小さいほど（測定対象体２００の抵抗値Ｒが小さいほど）大きな電流値の指示用電流Ｉｉ２を出力し、電圧Ｖ１が大きいほど（測定対象体２００の抵抗値Ｒが大きいほど）小さな電流値の指示用電流Ｉｉ２を出力する。
【００１８】
スイッチ５ａ，５ｂ，５ｃは、図外のレンジ切替えスイッチの操作に応じて互いに連動作動する。この場合、スイッチ５ａは、第１指示用電流出力部１２とプローブ６との接断（接続および切断）、並びに測定用電流生成部１３とプローブ６との接断を行う。また、スイッチ５ｂは、第１指示用電流出力部１２と指示メータ２との接断、および第２指示用電流出力部１４と指示メータ２との接断を行う。また、スイッチ５ｃは、測定用電圧生成部１１とプローブ６との接断、および基準電位（グランド）とプローブ６との接断を行う。
【００１９】
次に、絶縁抵抗計１を用いて、測定対象体２００の抵抗値Ｒを測定する方法について、図面を参照して説明する。
【００２０】
この絶縁抵抗計１では、非使用状態においては、高抵抗測定部３の測定用電圧生成部１１、および低抵抗測定部４の測定用電流生成部１３に対する電池１００の電池電圧の供給や、高抵抗測定部３の第１指示用電流出力部１２、および低抵抗測定部４の第２指示用電流出力部１４からの指示用電流Ｉｉの出力が停止している。また、この絶縁抵抗計１では、指示用電流Ｉｉが出力されていない状態では、指示メータ２の指針２ａが無限大の抵抗値を示す位置（図６における右側）に位置している。
【００２１】
高抵抗の測定対象体２００の抵抗値Ｒ（絶縁抵抗）を測定するときには、図外のレンジ切替えスイッチを操作して、測定レンジを高抵抗レンジに切り替える。この際に、図１に実線で示すように、スイッチ５ａが、第１指示用電流出力部１２とプローブ６とを接続し、スイッチ５ｂが、第１指示用電流出力部１２と指示メータ２とを接続し、スイッチ５ｃが、測定用電圧生成部１１とプローブ６とを接続する。次いで、図外のメジャースイッチをオン操作する。この際に、電池１００の電池電圧が測定用電圧生成部１１に供給され、測定用電圧生成部１１が電池電圧を昇圧して測定用電圧Ｖｍを生成する。
【００２２】
続いて、測定対象体２００の両端部にプローブ６，６を接触させる。この際に、第１指示用電流出力部１２が、測定用電圧Ｖｍの印加に伴って測定対象体２００に流れる電流Ｉｄを検出して、その電流Ｉｄに応じた大きさ（つまり抵抗値Ｒに応じた大きさ）の電流値の指示用電流Ｉｉ１を生成する。この場合、第１指示用電流出力部１２は、上記したように、電流Ｉｄが大きいほど（抵抗値Ｒが小さいほど）大きな電流値の指示用電流Ｉｉ１を出力し、検出した電流Ｉｄが小さいほど（抵抗値Ｒが大きいほど）小さな電流値の指示用電流Ｉｉ１を出力する。
【００２３】
次いで、指示メータ２が第１指示用電流出力部１２から出力された指示用電流Ｉｉ１の電流値の大きさに応じた回動量で指針２ａを回動させる。続いて、指針２ａによって指示される値を読み取る。この場合、上記したように、第１指示用電流出力部１２は、抵抗値Ｒが小さいほど大きな電流値の指示用電流Ｉｉを出力（流入）し、抵抗値Ｒが大きいほど小さな電流値の指示用電流Ｉｉ１を出力（流入）する。このため、測定対象体２００の絶縁状態が良好で、その抵抗値Ｒが大きいときには、図６に示すように、指示メータ２の指針２ａが同図における右側に位置し、測定対象体２００の絶縁状態が良好ではなく、その抵抗値Ｒが小さいときには、図７に示すように、指示メータ２の指針２ａが同図における左側（低抵抗値側）に回動する。
【００２４】
一方、低抵抗の測定対象体２００の抵抗値Ｒを測定するときには、図外のレンジ切替えスイッチを操作して、測定レンジを低抵抗レンジに切り替える。この際に、図１に破線で示すように、スイッチ５ａが、測定用電流生成部１３とプローブ６とを接続し、スイッチ５ｂが、第２指示用電流出力部１４と指示メータ２とを接続し、スイッチ５ｃが、基準電位とプローブ６とを接続する。次いで、図外のメジャースイッチをオン操作する。この際に、電池１００の電池電圧が測定用電流生成部１３に供給されて、測定用電流生成部１３が測定用電流Ｉｍを生成する。
【００２５】
続いて、測定対象体２００の両端部にプローブ６，６を接触させる。この際に、第２指示用電流出力部１４の反転加算回路２１が、測定用電流Ｉｍの供給に伴って測定対象体２００に生じる電圧Ｖ１に加算電圧を加算すると共に反転増幅し、反転回路２２が、反転加算回路２１から出力される電圧Ｖ２を反転する。これにより、指示用電流Ｉｉ２が出力される。この場合、第２指示用電流出力部１４は、上記したように、測定用電流Ｉｍの供給に伴って測定対象体２００に生じる電圧Ｖ１が小さいほど（測定対象体２００の抵抗値Ｒが小さいほど）大きな電流値の指示用電流Ｉｉ２を出力し、電圧Ｖ１が大きいほど（測定対象体２００の抵抗値Ｒが大きいほど）小さな電流値の指示用電流Ｉｉ２を出力する。
【００２６】
次いで、指示メータ２が第２指示用電流出力部１４から出力された指示用電流Ｉｉ２の電流値の大きさに応じた回動量で指針２ａを回動させる。続いて、指針２ａによって指示される値を読み取る。この場合、上記したように、第２指示用電流出力部１４は、抵抗値Ｒが小さいほど大きな電流値の指示用電流Ｉｉ２を出力（流入）し、抵抗値Ｒが大きいほど小さな電流値の指示用電流Ｉｉ２を出力（流入）する。このため、測定対象体２００の抵抗値Ｒが大きいときには、図６に示すように、指示メータ２の指針２ａが同図における右側に位置し、抵抗値Ｒが小さいときには、図７に示すように、指示メータ２の指針２ａが同図における左側（低抵抗値側）に回動する。つまり、この絶縁抵抗計１では、従来の絶縁抵抗計とは異なり、高抵抗の測定対象体２００および低抵抗の測定対象体２００のいずれの抵抗値Ｒを測定する際においても、抵抗値Ｒが小さいほど指示メータ２の指針２ａが左側（低抵抗値側）に回動する。このため、この絶縁抵抗計１では、指示メータ２のパネルに描かれた各スケールの目盛には、測定レンジ（測定項目）に拘わらず、右側から左側に向かって数値が降順で付されている。したがって、この絶縁抵抗計１では、従来の絶縁抵抗計とは異なり、スケールの目盛に付された数値の昇降順が測定レンジによって異なることに起因する抵抗値Ｒの読み取り間違いを確実に防止することが可能となっている。
【００２７】
このように、この絶縁抵抗計１によれば、高抵抗測定部３および低抵抗測定部４のいずれもが、測定対象体２００の抵抗値Ｒが小さいほど指示用電流Ｉｉの電流値を大きくして指示メータ２の指針２ａを大きな回動量で回動させることにより、高抵抗の測定対象体２００および低抵抗の測定対象体２００のいずれの測定対象体２００の抵抗値Ｒを測定する際においても、抵抗値Ｒが大きいときには指示メータ２の指針２ａを左右いずれか一方側（この例では右側）に位置させ、抵抗値Ｒが小さいときには指針２ａを左右いずれか他方側（この例では左側）に回動させることができる。したがって、この絶縁抵抗計１によれば、測定レンジ（測定項目）に拘わらず、スケールの目盛に同じ昇降順で数値を付すことができる結果、スケールの目盛に付された数値の昇降順が測定レンジによって異なることに起因する抵抗値Ｒの読み取り間違いを確実に防止することができる。
【００２８】
また、この絶縁抵抗計１によれば、測定用電圧Ｖｍの印加に伴って測定対象体２００に流れる電流Ｉｄが大きいほど大きな電流値の指示用電流Ｉｉ１を出力する第１指示用電流出力部１２を備えて高抵抗測定部３を構成し、測定用電流Ｉｍの供給に伴って測定対象体２００に生じる電圧Ｖ１が小さいほど大きな電流値の指示用電流Ｉｉ２を出力する第２指示用電流出力部１４を備えて低抵抗測定部４を構成したことにより、高抵抗測定部３が高抵抗の測定に適した測定用電圧Ｖｍを用いての指示用電流Ｉｉ１の出力を行い、低抵抗測定部４が低抵抗の測定に適した測定用電流Ｉｍを用いての指示用電流Ｉｉ２の出力を行うため、高抵抗の測定対象体２００および低抵抗の測定対象体２００のいずれの測定対象体２００の抵抗値Ｒを測定する場合においても、その測定を正確に行うことができる。
【００２９】
なお、本発明は、上記の構成に限定されない。例えば、非使用時（および抵抗値Ｒが大きい（無限大の）とき）において指針２ａが右側に位置し、抵抗値Ｒが小さいときに指針２ａが左側に回動する指示メータ２を例に挙げて説明したが、これとは逆向きに指針２ａが回動する構成、つまり、非使用時（および抵抗値Ｒが大きい（無限大の）とき）において指針２ａが左側に位置し、抵抗値Ｒが小さいときに指針２ａが右側に回動する指示メータの構成を採用することもできる。また、指示メータ２のプラス端子を基準電位に接続した例について説明したが、指示メータ２のマイナス端子を基準電位に接続することもできる。この場合、例えば、第２指示用電流出力部１４の反転回路２２を削除または非反転回路とし、指示用電流Ｉｉ１が第１指示用電流出力部１２から流出し、かつ指示用電流Ｉｉ２が第２指示用電流出力部１４から流出する向きとなるように構成する。高抵抗測定部３、低抵抗測定部４およびプローブ６と、スイッチ５ａ，５ｂとの接続方法は上記した例に限定されない。例えば、高抵抗測定部３内の第１指示用電流出力部１２をスイッチ５ｃ側のプローブ６と測定用電圧生成部１１との間に接続するなど、その接続方法を任意に変更することができる。
【図面の簡単な説明】
【００３０】
【図１】絶縁抵抗計１の構成を示す構成図である。
【図２】第２指示用電流出力部１４の回路図である。
【図３】抵抗値Ｒと電圧Ｖ１との関係を説明するための説明図である。
【図４】抵抗値Ｒと電圧Ｖ２との関係を説明するための説明図である。
【図５】抵抗値Ｒと電圧Ｖ３との関係を説明するための説明図である。
【図６】指示メータ２の動きを説明するための第１の説明図である。
【図７】指示メータ２の動きを説明するための第２の説明図である。
【図８】従来の絶縁抵抗計における指示メータの動きを説明するための第１の説明図である。
【図９】従来の絶縁抵抗計における指示メータの動きを説明するための第２の説明図である。
【符号の説明】
【００３１】
１  絶縁抵抗計
２  指示メータ
２ａ  指針
３  高抵抗測定部
４  低抵抗測定部
１１  測定用電圧生成部
１２  第１指示用電流出力部
１３  測定用電流生成部
１４  第２指示用電流出力部
２１  反転加算回路
２２  反転回路
２００  測定対象体
Ｉｄ  電流
Ｉｉ１，Ｉｉ２  指示用電流
Ｉｍ  測定用電流
Ｒ  抵抗値
Ｖ１，Ｖ２，Ｖ３  電圧
Ｖｍ  測定用電圧
【図１】
2010002191.tif 000003
【図２】
2010002191.tif 000004
【図３】
2010002191.tif 000005
【図４】
2010002191.tif 000006
【図５】
2010002191.tif 000007
【図６】
2010002191.tif 000008
【図７】
2010002191.tif 000009
【図８】
2010002191.tif 000010
【図９】
2010002191.tif 000011